(57)【要約】【課題】本発明は、物品を輸送時の衝撃から確実に保護し、物品を破損させることなく輸送することができる包装体及び包装方法を提供する。【解決手段】上下板状発泡体１、２と、周縁部31により囲まれた部分を上下方向に貫通した開口部32に形成してなる枠状発泡体３とによって包装体主体を形成してあり、この包装体主体における上記枠状発泡体３の開口部32内に物品４を収容して上記上下板状発泡体１、２により枠状発泡体３を挟持させていると共に、この包装体主体を熱収縮性フィルム５により包被して熱収縮性フィルム５の熱収縮により枠状発泡体３の開口部32内に収容している上記物品４を上下板状発泡体１、２の対向面によって弾性的に保持させていることを特徴とする物品包装体。【選択図】図３
2012017132.tif 000002
【特許請求の範囲】
【請求項１】
上下板状発泡体と、周縁部により囲まれた部分を上下方向に貫通した開口部に形成してなる枠状発泡体とによって包装体主体を形成してあり、この包装体主体における上記枠状発泡体の開口部内に物品を収容して上記上下板状発泡体により枠状発泡体を挟持させていると共に、この包装体主体を熱収縮性フィルムにより包被して熱収縮性フィルムの熱収縮により枠状発泡体の開口部内に収容している上記物品を上下板状発泡体の対向面によって弾性的に保持させていることを特徴とする物品包装体。
【請求項２】
上側板状発泡体の上面と下側板状発泡体の下面とにこれらの上下板状発泡体と同大、同形の剛性を有する保形板状材を配設していることを特徴とする請求項１に記載の物品包装体。
【請求項３】
上下板状発泡体の対向面に複数個の凸部を碁盤目状に突設していることを特徴とする請求項１又は２に記載の物品包装体。
【請求項４】
上下板状発泡体における下側板状発泡体上に、周縁部により囲まれた部分を上下方向に貫通した開口部に形成してなる枠状発泡体を載置して開口部により囲まれた空間部をこの開口部に露出している上記下側板状発泡体の上面を底面とした収容室に形成し、この収容室に１〜複数個の物品を収容した後、上側板状発泡体を上記枠状発泡体上に重ね合わせて上記上側板状発泡体によって上記収容室を密閉してなる包装体主体を形成し、この包装体主体を熱収縮性フィルムによって包被した後、この熱収縮性フィルムを加熱、収縮させることによって上記上下板状発泡体により上記枠状発泡体を挟圧させ、上記上下板状発泡体の対向面によって上記物品を弾性的に挟持させることを特徴とする物品包装方法。
【請求項５】
包装体主体における上側板状発泡体の上面と下側板状発泡体の下面とにこれらの上下板状発泡体と同大、同形の剛性を有する保形板状材を重ね合わせた後、熱収縮性フィルムによって包被することを特徴とする請求項４に記載の物品包装方法。
【発明の詳細な説明】
【技術分野】
【０００１】
本発明は、物品の破損を防止できる衝撃吸収性を有する物品包装体及び物品包装方法に関する。
【背景技術】
【０００２】
従来から、商品を電話などで注文し、注文主に郵便にて届ける販売形態が行われており、今日、インターネットの普及によってインターネット上から所望の商品を注文し、郵便にて商品が注文主に届けられる販売形態が多く利用されるようになってきている。
【０００３】
注文した商品が割れないように商品が包装された状態で郵送されるが、このような包装体として、例えば、特許文献１に、少なくとも一辺が開口された外筒体と、該外筒体内に挿入され且つ気体の充填によって商品である物品を包被保持する注入弁付内袋体とからなる運搬等用の包装体が提案されている。
【０００４】
上記包装体は、注入弁付内袋体内に気体を充填することによって内袋体にクッション性を付与し、このクッション性によって物品を輸送時の衝撃から保護し、輸送時における物品の破損を防止するように構成されている。
【０００５】
しかしながら、上記包装体は、上述のように、注入弁付内袋体内に気体を充填することによって注入弁付内袋体にクッション性を付与していることから、輸送時に過度な押圧力が加わると、注入弁付内袋体内の気体は逃げ道がないことから注入弁付内袋体が破裂して注入弁付内袋体が瞬時にクッション性を失い、物品が破損する虞れがあるという問題点を有している。
【先行技術文献】
【特許文献】
【０００６】
【特許文献１】特開平５−４６６４号公報
【発明の概要】
【発明が解決しようとする課題】
【０００７】
本発明は、物品を輸送時の衝撃から確実に保護し、物品を破損させることなく輸送することができる物品包装体及び物品包装方法を提供する。
【課題を解決するための手段】
【０００８】
本発明の請求項１に記載の物品包装体は、上下板状発泡体と、周縁部により囲まれた部分を上下方向に貫通した開口部に形成してなる枠状発泡体とによって包装体主体を形成してあり、この包装体主体における上記枠状発泡体の開口部内に物品を収容して上記上下板状発泡体により枠状発泡体を挟持させていると共に、この包装体主体を熱収縮性フィルムにより包被して熱収縮性フィルムの熱収縮により枠状発泡体の開口部内に収容している上記物品を上下板状発泡体の対向面によって弾性的に保持させていることを特徴とする。
【０００９】
本発明の請求項２に記載の物品包装体は、上側板状発泡体の上面と下側板状発泡体の下面とにこれらの上下板状発泡体と同大、同形の剛性を有する保形板状材を配設していることを特徴とする。
【００１０】
また、本発明の請求項３に記載の物品包装体は、上下板状発泡体の対向面に複数個の凸部を碁盤目状に突設していることを特徴とする。
【００１１】
本発明の請求項４の物品包装方法は、上下板状発泡体における下側板状発泡体上に、周縁部により囲まれた部分を上下方向に貫通した開口部に形成してなる枠状発泡体を載置して開口部により囲まれた空間部をこの開口部に露出している上記下側板状発泡体の上面を底面とした収容室に形成し、この収容室に１〜複数個の物品を収容した後、上側板状発泡体を上記枠状発泡体上に重ね合わせて上記上側板状発泡体によって上記収容室を密閉してなる包装体主体を形成し、この包装体主体を熱収縮性フィルムによって包被した後、この熱収縮性フィルムを加熱、収縮させることによって上記上下板状発泡体により上記枠状発泡体を挟圧させ、上記上下板状発泡体の対向面によって上記物品を弾性的に挟持させることを特徴とする。
【００１２】
また、本発明の請求項５の物品包装方法は、包装体主体における上側板状発泡体の上面と下側板状発泡体の下面とにこれらの上下板状発泡体と同大、同形の剛性を有する保形板状材を重ね合わせた後、熱収縮性フィルムによって包被することを特徴とする。
【発明の効果】
【００１３】
本発明の物品包装体によれば、請求項１に記載したように、包装体主体は上下板状発泡体と、周縁部により囲まれた部分を上下板状発泡体方向に貫通した開口部に形成してなる枠状発泡体とによって構成しているので、構造が簡単で多量生産に適し、安価に提供できるのは勿論、この包装体主体における上記枠状発泡体の開口部内に物品を収容して上記上下板状発泡体により枠状発泡体を挟持させていると共に、この包装体主体を熱収縮性フィルムにより包被して熱収縮性フィルムの熱収縮により、枠状発泡体の開口部内に収容している上記物品を上下板状発泡体の対向面によって弾性的に保持させているので、運搬や取り扱い中においても、物品が妄動することなく、開口部内における所定の収容位置に確実に保持しておくことができると共に、外力が加わっても上下板状発泡体及び枠状発泡体が弾性的に変形しながらその外力を確実に吸収することができ、したがって物品に損傷を与える恐れをなくして安定した包装状態を保持することができる。
【００１４】
さらに、包装体主体における上記枠状発泡体に設けている開口部は、周縁部以外の部分を全面的に上下方向に貫通させて物品の大きさや形状に合わせることなく一つの大きな開口部に形成しているので、様々な形状、大きさを有する物品を開口部内に収容することができて物品包装体としての適用範囲が広がり、汎用性に優れている。
【００１５】
請求項２に係る発明によれば、上側板状発泡体の上面と下側板状体の下面とにこれらの上下板状発泡体と同大、同形の剛性を有する保形板状材を配設しているので、運搬や取り扱い時等において、この保形板状材に部分的に衝撃力等の外力が作用しても、その外力を保形板状材によって被覆されている板状発泡体の全面に分散させることができ、上下板状発泡体を介して枠状発泡体の開口部内に収容されている物品に外力が集中的に作用するのをなくして物品を安定して保護しておくことができる。
【００１６】
また、請求項３に係る発明によれば、上記上下板状発泡体の対向面に複数個の凸部を碁盤目状に突設しているので、この上下板状発泡体によって枠状発泡体を挟持した状態においては、枠状発泡体の開口部内に収容されている物品の上下面に対向した凸部がこの物品の上下面の形状に応じて弾性的に凹入変形して物品の上下面を圧締め状態に挟持すると共に、物品の周囲に対向する凸部が物品の周面を囲むように該周面に圧着し、物品を確実且つ緩衝的に保持しておくことができる。
【００１７】
請求項４に係る発明は、上記物品包装体による包装方法であって、まず、上下板状発泡体における下側板状発泡体上に、周縁部により囲まれた部分を上下に貫通した開口部に形成してなる枠上発泡体を載置してその開口部により囲まれた空間部を該開口部に露出している上記下側板状発泡体の上面を底面とした収容室に形成し、この収容室に１〜複数個の物品を収容するので、人手による包装作業であっても機械的な包装作業であっても、下側板状発泡体上への枠上発泡体の載置作業と、この載置によって形成された上記収容室内への物品の収容作業を容易に且つ正確に行うことができると共に、上記収容室は物品の大きさや形状に関係なく、周縁部以外の部分を全面的に上下板状発泡体方向に貫通させてなる枠上発泡体の大きな開口部とこの開口部の下端を閉止した下側板状発泡体とによって形成されているので、様々な形状、大きさを有する物品をこの収容室に簡単且つ確実に収容することができる。
【００１８】
次いで、上側板状発泡体を枠状発泡体上に重ね合わせて該上側板状発泡体によって収容室を密閉してなる包装体主体を形成することから、その作業も簡単且つ迅速に行えて収容室内に物品を収容してなる包装体主体を、次々と能率よく作製することができる。しかるのち、この包装体主体を熱収縮性フィルムによって包被し、この熱収縮性フィルムの収縮力によって上下板状発泡体を枠上発泡体の上下面に強固に圧着させることができ、枠上発泡体の開口部内に配設している物品をこれらの板状発泡体の対向面によって弾性的に挟着させ、運搬や取り扱い中等において外力が作用しても物品を損傷させることなく安定した状態で保持しておくことができる物品包装体を得ることができる。
【００１９】
また、請求項５に係る発明によれば、上記請求項４に記載の包装方法において、包装体主体における上側板状発泡体の上面と下側板状発泡体の下面とにこれらの上下板状発泡体と同大、同形の剛性を有する保形板状材を重ね合わせた後、熱収縮性フィルムによって包被するので、熱収縮性フィルムを熱収縮させた際に、その収縮力が包装体主体の上下面に配設している剛性を有する保形板状材にこれらの保形板状材を互いに接近させる方向に押圧する圧締力として作用し、この圧締力によって上下板状発泡体が全面的に圧締めされて開口部内に物品を収容している枠状発泡体の上下板状発泡体面に強固に圧着し、上下板状発泡体の対向面が物品の上下面に沿って弾性的に変形しながら物品を確実に保持した物品包装体を得ることができ、その上、熱収縮性フィルムの熱収縮にもかかわらず、この保形板状材によって上下板状発泡体の平面形状の大きさをそのまま保持した状態にして厚み方向にのみ弾性、特に圧縮変形させることができ、包装前の平面形状を有する物品包装体を得ることができる。
【図面の簡単な説明】
【００２０】
【図１】本発明の物品包装体における包装体主体の分解斜視図である。
【図２】本発明の物品包装体を示す斜視図である。
【図３】その縦断面図である。
【図４】本発明の物品包装体の他の一例を示す縦断面図である。
【図５】枠状発泡体の開口部内に物品を収容した状態を示す斜視図である。
【図６】その縦断面図である。
【図７】上下板状発泡体の一例を示す斜視図である。
【図８】本発明の物品包装体の他の一例を示す斜視図である。
【図９】本発明の物品包装体の使用例を示す斜視図である。
【発明を実施するための形態】
【００２１】
本発明の具体的な実施の形態を図面に基づいて説明すると、物品包装体における包装体主体Ａは、図１に示すように、一定厚みを有する同大、同形の発泡合成樹脂からなる上下板状発泡体１、２と、周縁部31によって囲まれた部分を上下板状発泡体方向に貫通した一つの開口部32に形成している発泡合成樹脂からなる一定厚みを有する枠状発泡体３とからなり、図２及び図３に示すように、この包装体主体Ａにおける上記枠状発泡体３の開口部32内に複数個の物品４を収容していると共に、この枠状発泡体３を上記上下板状発泡体１、２によりサンドイッチ状に挟持させて、これらの上下板状発泡体１、２の対向面により物品４を収容している枠状発泡体３の上記開口部32の上下開口端を密閉させ、この上下板状発泡体１、２と枠状発泡体３との三層構造の積層体からなる包装体主体Ａを筒状又は袋状に形成した熱収縮性フィルム５によって包被して、この熱収縮性フィルム５を熱収縮させることにより、枠状発泡体３の開口部32内に収容している上記物品４を上下板状発泡体１、２の対向面によって弾性的に保持させてなる物品包装体Ｂを構成している。
【００２２】
また、上述した物品包装体Ｂにおいて、上側板状発泡体１の上面と下側板状発泡体２の下面とのそれぞれには、図４に示すように、これらの上下板状発泡体１、２と大きさ及び平面形状が同じであり且つ所定の剛性を有する保形板状材６、７を重合状態に配設しておくことが好ましい。このように保形板状材６、７を用いることにより、物品４が破損するのを抑制して、物品４を安定して保護しておくことができる。なお、図４に示す物品包装体Ｂについて、上側板状発泡体１の上面と下側板状発泡体２の下面とのそれぞれに保形板状材６、７が配設されている構成以外は図１〜３に示した物品包装体Ｂと同様の構成を有するのでその説明を省略する。
【００２３】
上下板状発泡体１、２と枠状発泡体３とからなる包装体主体Ａを用いて物品４を包装するには、まず、図５及び６に示すように、上下板状発泡体１、２における下側板状発泡体２上に、周縁部31により囲まれた部分を上下方向に貫通した開口部32に形成してなる枠状発泡体３を載置し、この開口部32で囲まれた空間部をこの開口部32に露出している上記下側板状発泡体３の上面を底面とした収容室に形成し、この収容室に１〜複数個の物品４を収容する。次に、上側板状発泡体１を枠状発泡体３上に重ね合わせて、物品４を収容した枠状発泡体３を上下板状発泡体１、２によりサンドイッチ状に挟持させることによって、これらの上下板状発泡体１、２の対向面により物品４を収容している枠状発泡体３の上記開口部32の上下開口端を密閉させ、この上下板状発泡体１、２と枠状発泡体３との三層構造の積層体からなる包装体主体Ａを形成する。その後、この包装体主体Ａを筒状又は袋状に形成した熱収縮性フィルム５によって包被して、この熱収縮性フィルム５を加熱して熱収縮させることによって上下板状発泡体１、２により枠状発泡体３を挟圧させ、これにより図２及び３に示すように上下板状発泡体１、２の対向面11、21によって物品４を弾性的に挟持させてなる物品包装体Ｂが得られる。
【００２４】
また、保形板状材６、７を用いる場合には、上側板状発泡体１の上面と下側板状発泡体２の下面とのそれぞれに保形板状材６、７を配設し、この保形板状材６、７を含めて包装体主体Ａを熱収縮性フィルム５によって全面的に被覆した状態とすればよい。しかる後、熱収縮性フィルム５を熱収縮させると、その収縮力が保形板状材６、７を互いに接近させる方向に押圧する圧締力として作用して上下板状発泡体１、２が全面的に圧締めされ、枠状発泡体３の開口部32内に収容されている物品４の上下面にこれらの上下板状発泡体１、２の対向面11、21が圧着して物品４の上下板状発泡体面の形状に応じて弾性変形し、その弾性復元力により物品４をより確実に保持した物品包装体Ｂが得られると共に、該物品包装体Ｂの上面及び下面は包装前の平面形状を保持し、取扱性においても優れた物品包装体Ｂを得ることができる。
【００２５】
上述した包装体主体Ａを構成している上記上下板状発泡体１、２と枠状発泡体３とは、弾性的に圧縮変形可能なスポンジ等の発泡合成樹脂材からなると共に、同じ大きさの平面矩形状に形成されてあり、枠状発泡体３は、上記上下板状発泡体１、２と同大、同形の板状発泡体を、その周縁部31を残してその他の部分を全面的に打ち抜いて削除した形態を有し、周縁部31で囲まれた中央部を一つの大きな矩形状開口部32に形成している。
【００２６】
なお、上記上下板状発泡体１、２及び枠状発泡体３の平面形状は矩形状に限定されず、円形、楕円形など他の形状であってもよい。枠状発泡体３の開口部32の平面形状も矩形状に限定されず、円形、楕円形など他の形状であってもよい。上下板状発泡体１、２と枠状発泡体３との平面形状及び大きさは、略同一とするのが好ましい。
【００２７】
また、上下板状発泡体１、２は、公知の方法で製造することができる。枠状発泡体３も、公知の方法で製造した原反発泡体の中央部を打ち抜いて開口部32を形成することにより製造することができる。
【００２８】
上記実施例においては、上下板状発泡体１、２の対向面を平坦な面に形成しているが、図７に示すように、これらの上下板状発泡体１、２の対向面11、21のそれぞれには、複数個の凸部11a、21aを碁盤目状に突設しておいてもよい。このように形成している上下板状発泡体１、２によれば、開口部32内に物品４を収容している枠状発泡体３の上下面にそれぞれこれらの上下板状発泡体１、２を積層状態に重ね合わせると、物品４の上下面に対応する上下板状発泡体１、２の対向面11、21に突設している凸部11a、21aが弾性、特に圧縮変形しながら物品４の上下面に圧着すると共に、物品４の周囲に向かって突出している複数個の凸部11a、21aにより物品４の周囲を弾性的に保持してこれらの上下板状発泡体１、２の対向面11、21間で物品４をより確実に保持することができ、輸送時に加わる衝撃から物品４をより確実に保護することができる。
【００２９】
上下板状発泡体１、２として、連続気泡発泡体を用い、これにプロファイル加工などにより上記の通り対向面11、21に複数個の凸部11a、21aが形成されている場合、このような上下板状発泡体１、２は、物品の輸送後に緩衝材としての役目を終えた後は、食器や車両などを洗浄するための洗浄具として使用することができる。したがって、従来であれば廃棄されるだけであった緩衝材として用いられていた発泡体を別の用途に使用することによって資源保護を図り、地球環境の保護を推進することができる。上下板状発泡体１、２を洗浄具として使用する際には、上下板状発泡体１、２を所望の大きさに容易に切断してもよい。
【００３０】
枠状発泡体３の厚みは、物品４の厚さと略同一かその近傍に設定されるのが好ましく、物品４の厚さよりも僅かに薄くするのがより好ましい。このような枠状発泡体３を用いることにより、上記物品４を、枠状発泡体３の開口部32内に収容した状態にして、その枠状発泡体３の上下面に上下板状発泡体１、２をそれぞれ重ね合わせた際に、枠状発泡体３の開口部の上下開口端から突出する物品４の上下部分に押接する上下板状発泡体１、２の対向面が、物品４の上下部分に沿って弾性的に凹入変形して物品４をこれらの上下板状発泡体１、２の弾性復元力により確実に挟持することができる。
【００３１】
また、枠状発泡体３の開口部32内において、収容した複数個の物品４における隣接する物品間に帯状又は棒状の仕切片を介在させていてもよい。このように仕切片を設けることにより、包装体主体Ａに両側方からこの包装体主体Ａを圧縮する方向に挟圧力が作用しても、この仕切片によって隣接する物品４が互いに衝合するのを確実に阻止して物品４が破損するのを防止することができる。
【００３２】
収容する物品４としては、特に限定されず、例えば、化粧品、宝石、陶器、書籍などの輸送時の衝撃によって破損や傷が付き易い物品が挙げられる。
【００３３】
包装体主体を包被する熱収縮性フィルム５とは、所定温度以上に加熱すると熱収縮するフィルムであって、汎用の熱収縮性フィルムが用いられ、例えば、押出機から押出した溶融状態のフィルムを押出方向又は幅方向の何れか一方或いは双方に向かって延伸し、この延伸状態でフィルムを冷却することによって熱収縮性フィルム５を製造することができる。
【００３４】
保形板状材６、７としては、熱収縮性フィルム５の収縮力によって変形しない程度の剛性を有していればよく、例えば、合成樹脂シート、厚紙、段ボールなどが挙げられる。また、保形板状材の平面形状及び大きさは、上下板状発泡体の平面形状及び大きさと略同一かその近傍に設定されるのが好ましい。
【００３５】
上述した物品包装体Ｂでは、袋状に形成した熱収縮性フィルム５によって包装体主体Ａを全面的に被覆した場合を説明したが、上下板状発泡体１、２の対向面11、21によって物品３が弾性的に保持された状態となればよく、上下板状発泡体１、２を熱収縮性フィルム５によって全面的に被覆しておく必要はない。例えば、図８に示すように、上下板状発泡体１、２と枠状発泡体３とからなる包装体主体Ａの外周面を筒状に形成した熱収縮性フィルム５によって包被して、包装体主体Ａの長さ方向両端面が熱収縮性フィルム５によって包被されずに露出した状態としてもよい。このような包被状態であっても、熱収縮性フィルム５を熱収縮させることによって枠状発泡体３の開口部32内に収容している上記物品４を上下板状発泡体１、２の対向面によって弾性的に保持させてなる物品包装体Ｂが得られる。なお、包装体主体Ａが部分的に熱収縮性フィルム５によって締め付けられている構成以外は図１〜４に示した物品包装体と同様の構成を有するのでその説明を省略する。
【００３６】
本発明の物品包装体Ｂを郵便にて輸送する場合には、例えば、図９に示すように、包装体主体Ａの上面を被覆している熱収縮性フィルム５上に宛て名が記載されたラベル８を貼付し、郵送すればよい。
【００３７】
そして、物品包装体Ｂを郵便にて受け取った者は、熱収縮性フィルム５を破ることによって上下板状発泡体１、２による物品４の保持状態を解除し、上下板状発泡体１、２の挟持面11、21間から物品４を取り出して使用することができる。
【符号の説明】
【００３８】
１    上側板状発泡体
２    下側板状発泡体
11、21    対向面
11a、21a  凸部
３    枠状発泡体
３１  開口部
４    物品
５    熱収縮性フィルム
６    保形板状材
７    保形板状材
８    宛名ラベル
Ａ    包装体主体
Ｂ    物品包装体
【図１】
2012017132.tif 000003
【図２】
2012017132.tif 000004
【図３】
2012017132.tif 000005
【図４】
2012017132.tif 000006
【図５】
2012017132.tif 000007
【図６】
2012017132.tif 000008
【図７】
2012017132.tif 000009
【図８】
2012017132.tif 000010
【図９】
2012017132.tif 000011